(57)【要約】【課題】  あたかも通常の音声着信と同様に着信メールの内容を確認することができる通信端末装置を実現する。【解決手段】  メールアドレスＭＡＤとキーワードＫＷＤとから構成される読み上げ登録データＹＴＤを予め登録しておき、着信メールの差出人アドレスが読み上げ登録データＹＴＤのメールアドレスＭＡＤに一致し、かつメールアドレスＭＡＤに対応したキーワードＫＷＤがメールに含まれる場合、アドレス帳から差出人アドレスに対応する電話番号を検索して表示部４に表示しつつ着信報知し、オフフック操作に応じて着信メールの内容を音声合成して読み上げる。これにより、予め指定した属性を有するメールが着信した場合に疑似的に音声着信の報知形態を装う。【選択図】  図５
2005318467.tif 000002
【特許請求の範囲】
【請求項１】
予め登録される特定の属性を記憶する属性記憶手段と、
メールを受信するメール受信手段と、
前記メール受信手段により受信されたメールが前記属性記憶手段に記憶される特定の属性を有しているか否かを判定し、特定の属性を有していると判定された場合に音声着信の報知形態で報知する報知手段と、
前記報知手段が着信報知している時のオフフック操作に応じて、前記メール受信手段により受信されたメールの内容を音声合成して読み上げる読上げ手段と
を具備することを特徴とする通信端末装置。
【請求項２】
メールを受信するメール受信手段と、
前記メール受信手段により受信されたメールに、音声着信の報知形態を装う旨を表す疑似着信属性が付与されているか否かを判定する判定手段と、
前記判定手段により疑似着信属性が付与されていると判定された場合に音声着信の報知形態で報知する報知手段と、
前記報知手段が着信報知している時のオフフック操作に応じて、前記メール受信手段により受信されたメールの内容を音声合成して読み上げる読上げ手段と
を具備することを特徴とする通信端末装置。
【請求項３】
少なくともメールアドレスを有する読み上げ登録データを記憶する記憶手段と、
少なくともメールアドレスおよび電話番号からなる個人情報を記憶する個人情報記憶手段と、
メールを受信するメール受信手段と、
前記メール受信手段にて受信された受信メールの差出人アドレスが前記記憶手段に記憶される読み上げ登録データのメールアドレスに一致した場合、その受信メールの差出人アドレスに一致したメールアドレスに対応する電話番号を前記個人情報記憶手段から検索して表示すると共に、音声着信の報知形態で報知する報知手段と、
前記報知手段が着信報知している時のオフフック操作に応じて、前記メール受信手段にて受信された受信メールの内容を音声合成して読み上げる読上げ手段と
を具備することを特徴とする通信端末装置。
【請求項４】
メールアドレスとキーワードとを対応付けた読み上げ登録データを記憶する記憶手段と、
少なくともメールアドレスおよび電話番号からなる個人情報を記憶する個人情報記憶手段と、
メールを受信するメール受信手段と、
前記メール受信手段にて受信された受信メールの差出人アドレスが前記記憶手段に記憶される読み上げ登録データのメールアドレスに一致し、かつ当該メールアドレスに対応したキーワードが受信メールに存在する場合、その受信メールの差出人アドレスに一致したメールアドレスに対応する電話番号を前記個人情報記憶手段から検索して表示すると共に、音声着信の報知形態で報知する報知手段と、
前記報知手段が着信報知している時のオフフック操作に応じて、前記メール受信手段にて受信された受信メールの内容を音声合成して読み上げる読上げ手段と
を具備することを特徴とする通信端末装置。
【請求項５】
前記報知手段は、受信メールの差出人アドレスに一致したメールアドレスが携帯メールアドレスの場合には対応する携帯電話番号を前記個人情報記憶手段から検索して表示し、一方、受信メールの差出人アドレスに一致したメールアドレスが携帯メールアドレス以外の場合には対応する固定電話番号を前記個人情報記憶手段から検索して表示することを特徴とする請求項３乃至４のいずれかに記載の通信端末装置。
【請求項６】
メールを受信するメール受信処理と、
前記メール受信処理により受信されたメールが、予め登録された特定の属性を有しているか否かを判定し、特定の属性を有していると判定された場合に音声着信の報知形態で報知する報知処理と、
前記報知処理にて着信報知されている時のオフフック操作に応じて、前記メール受信処理により受信されたメールの内容を音声合成して読み上げる読上げ処理と
をコンピュータで実行させることを特徴とする通信端末処理プログラム。
【請求項７】
メールを受信するメール受信処理と、
前記メール受信処理により受信されたメールに、音声着信の報知形態を装う旨を表す疑似着信属性が付与されているか否かを判定する判定処理と、
前記判定処理により疑似着信属性が付与されていると判定された場合に音声着信の報知形態で報知する報知処理と、
前記報知処理にて着信報知されている時のオフフック操作に応じて、前記メール受信処理により受信されたメールの内容を音声合成して読み上げる読上げ処理と
をコンピュータで実行させることを特徴とする通信端末処理プログラム。
【請求項８】
メールを受信するメール受信処理と、
少なくともメールアドレスを有する読み上げ登録データを予め記憶しておき、前記メール受信処理にて受信された受信メールの差出人アドレスが、当該読み上げ登録データのメールアドレスに一致した場合、少なくともメールアドレスおよび電話番号からなる個人情報を登録したアドレス帳から当該受信メールの差出人アドレスに一致したメールアドレスに対応する電話番号を検索して表示すると共に、音声着信の報知形態で報知する報知処理と、
前記報知処理にて着信報知されている時のオフフック操作に応じて、前記メール受信処理にて受信された受信メールの内容を音声合成して読み上げる読上げ処理と
をコンピュータで実行させることを特徴とする通信端末処理プログラム。
【請求項９】
メールを受信するメール受信処理と、
前記メール受信処理にて受信された受信メールの差出人アドレスが、予めメールアドレスとキーワードとを対応付けて記憶させておいた読み上げ登録データのメールアドレスに一致し、かつ当該メールアドレスに対応したキーワードが受信メールに存在する場合、少なくともメールアドレスおよび電話番号からなる個人情報を登録したアドレス帳から当該受信メールの差出人アドレスに一致したメールアドレスに対応する電話番号を検索して表示すると共に、音声着信の報知形態で報知する報知処理と、
前記報知処理にて着信報知されている時のオフフック操作に応じて、前記メール受信処理にて受信された受信メールの内容を音声合成して読み上げる読上げ処理と
をコンピュータで実行させることを特徴とする通信端末処理プログラム。
【請求項１０】
前記報知処理は、受信メールの差出人アドレスに一致したメールアドレスが携帯メールアドレスの場合には対応する携帯電話番号を前記アドレス帳から検索して表示し、一方、受信メールの差出人アドレスに一致したメールアドレスが携帯メールアドレス以外の場合には対応する固定電話番号を前記アドレス帳から検索して表示することを特徴とする請求項８乃至９のいずれかに記載の通信端末処理プログラム。
【発明の詳細な説明】
【技術分野】
【０００１】
本発明は、あたかも通常の音声着信と同様に着信したメールの内容を確認し得る通信端末装置および通信端末処理プログラムに関する。
【背景技術】
【０００２】
現在多くの携帯電話などの通信端末装置で採用されているメールシステムは、ネットワーク上のサーバにメールが届いた時点で、サーバ側がショート・メッセージ・サービス（ＳＭＳ）を用いてメールの着信があったことを携帯電話側に通知する。携帯電話側はこのＳＭＳを受け取ることによりメーラーを起動してサーバ上のメールを取得してユーザに着信報知する。このようなメールシステムにおいて、近年では、視力障害のあるユーザの為にメールの内容を音声として読み上げる技術や、例えば特許文献１に開示されるように、予め指定したアドレスから所定のキーワードを含むメールを受信した場合に、そのメールを”緊急メール”と判断する発明など利便性を追求する様々なメール機能が開発されている。
【０００３】
【特許文献１】特開平１１−１５４９７５号公報
【発明の開示】
【発明が解決しようとする課題】
【０００４】
ところで、上述したメール機能を具備する携帯電話などの通信端末装置には、次のような問題がある。
（ａ）メール機能の多機能化により一般的には利便性が向上しつつあるものの、新たなメール機能が増えるほど通常の音声通話の着信時とは異なる端末操作が必要になる結果、複雑な操作を苦手とするユーザ（お年寄りや子供）はもとより、とりわけ視覚障害のあるユーザには使い難いものになってしまうという問題がある。
（ｂ）着信したメールの内容はいつでも見られるから後でも良いと思われがちな為、例えば会議や打ち合せの最中にメールチェックをしていると、周囲の顰蹙を買うという弊害もある。
【０００５】
そこで本発明は、このような事情に鑑みてなされたもので、あたかも通常の音声着信と同様に着信メールの内容を確認することができる通信端末装置および通信端末処理プログラムを提供することを目的としている。
【課題を解決するための手段】
【０００６】
上記目的を達成するため、請求項１に記載の発明では、  予め登録される特定の属性を記憶する属性記憶手段と、メールを受信するメール受信手段と、前記メール受信手段により受信されたメールが前記属性記憶手段に記憶される特定の属性を有しているか否かを判定し、特定の属性を有していると判定された場合に音声着信の報知形態で報知する報知手段と、前記報知手段が着信報知している時のオフフック操作に応じて、前記メール受信手段により受信されたメールの内容を音声合成して読み上げる読上げ手段とを具備することを特徴とする。
【０００７】
請求項２に記載の発明では、メールを受信するメール受信手段と、前記メール受信手段により受信されたメールに、音声着信の報知形態を装う旨を表す疑似着信属性が付与されているか否かを判定する判定手段と、前記判定手段により疑似着信属性が付与されていると判定された場合に音声着信の報知形態で報知する報知手段と、前記報知手段が着信報知している時のオフフック操作に応じて、前記メール受信手段により受信されたメールの内容を音声合成して読み上げる読上げ手段とを具備することを特徴とする。
【０００８】
請求項３に記載の発明では、少なくともメールアドレスを有する読み上げ登録データを記憶する記憶手段と、少なくともメールアドレスおよび電話番号からなる個人情報を記憶する個人情報記憶手段と、メールを受信するメール受信手段と、前記メール受信手段にて受信された受信メールの差出人アドレスが前記記憶手段に記憶される読み上げ登録データのメールアドレスに一致した場合、その受信メールの差出人アドレスに一致したメールアドレスに対応する電話番号を前記個人情報記憶手段から検索して表示すると共に、音声着信の報知形態で報知する報知手段と、前記報知手段が着信報知している時のオフフック操作に応じて、前記メール受信手段にて受信された受信メールの内容を音声合成して読み上げる読上げ手段とを具備することを特徴とする。
【０００９】
請求項４に記載の発明では、メールアドレスとキーワードとを対応付けた読み上げ登録データを記憶する記憶手段と、少なくともメールアドレスおよび電話番号からなる個人情報を記憶する個人情報記憶手段と、メールを受信するメール受信手段と、前記メール受信手段にて受信された受信メールの差出人アドレスが前記記憶手段に記憶される読み上げ登録データのメールアドレスに一致し、かつ当該メールアドレスに対応したキーワードが受信メールに存在する場合、その受信メールの差出人アドレスに一致したメールアドレスに対応する電話番号を前記個人情報記憶手段から検索して表示すると共に、音声着信の報知形態で報知する報知手段と、前記報知手段が着信報知している時のオフフック操作に応じて、前記メール受信手段にて受信された受信メールの内容を音声合成して読み上げる読上げ手段とを具備することを特徴とする。
【００１０】
上記請求項３乃至４のいずれかに従属する請求項５に記載の発明では、前記報知手段は、受信メールの差出人アドレスに一致したメールアドレスが携帯メールアドレスの場合には対応する携帯電話番号を前記個人情報記憶手段から検索して表示し、一方、受信メールの差出人アドレスに一致したメールアドレスが携帯メールアドレス以外の場合には対応する固定電話番号を前記個人情報記憶手段から検索して表示することを特徴とする。
【００１１】
請求項６に記載の発明では、メールを受信するメール受信処理と、前記メール受信処理により受信されたメールが、予め登録された特定の属性を有しているか否かを判定し、特定の属性を有していると判定された場合に音声着信の報知形態で報知する報知処理と、前記報知処理にて着信報知されている時のオフフック操作に応じて、前記メール受信処理により受信されたメールの内容を音声合成して読み上げる読上げ処理とをコンピュータで実行させることを特徴とする。
【００１２】
請求項７に記載の発明では、メールを受信するメール受信処理と、前記メール受信処理により受信されたメールに、音声着信の報知形態を装う旨を表す疑似着信属性が付与されているか否かを判定する判定処理と、前記判定処理により疑似着信属性が付与されていると判定された場合に音声着信の報知形態で報知する報知処理と、前記報知処理にて着信報知されている時のオフフック操作に応じて、前記メール受信処理により受信されたメールの内容を音声合成して読み上げる読上げ処理とをコンピュータで実行させることを特徴とする。
【００１３】
請求項８に記載の発明では、メールを受信するメール受信処理と、少なくともメールアドレスを有する読み上げ登録データを予め記憶しておき、前記メール受信処理にて受信された受信メールの差出人アドレスが、当該読み上げ登録データのメールアドレスに一致した場合、少なくともメールアドレスおよび電話番号からなる個人情報を登録したアドレス帳から当該受信メールの差出人アドレスに一致したメールアドレスに対応する電話番号を検索して表示すると共に、音声着信の報知形態で報知する報知処理と、前記報知処理にて着信報知されている時のオフフック操作に応じて、前記メール受信処理にて受信された受信メールの内容を音声合成して読み上げる読上げ処理とをコンピュータで実行させることを特徴とする。
【００１４】
請求項９に記載の発明では、メールを受信するメール受信処理と、前記メール受信処理にて受信された受信メールの差出人アドレスが、予めメールアドレスとキーワードとを対応付けて記憶させておいた読み上げ登録データのメールアドレスに一致し、かつ当該メールアドレスに対応したキーワードが受信メールに存在する場合、少なくともメールアドレスおよび電話番号からなる個人情報を登録したアドレス帳から当該受信メールの差出人アドレスに一致したメールアドレスに対応する電話番号を検索して表示すると共に、音声着信の報知形態で報知する報知処理と、前記報知処理にて着信報知されている時のオフフック操作に応じて、前記メール受信処理にて受信された受信メールの内容を音声合成して読み上げる読上げ処理とをコンピュータで実行させることを特徴とする。
【００１５】
上記請求項８乃至９のいずれかに従属する請求項１０に記載の発明では、前記報知処理は、受信メールの差出人アドレスに一致したメールアドレスが携帯メールアドレスの場合には対応する携帯電話番号を前記アドレス帳から検索して表示し、一方、受信メールの差出人アドレスに一致したメールアドレスが携帯メールアドレス以外の場合には対応する固定電話番号を前記アドレス帳から検索して表示することを特徴とする。
【発明の効果】
【００１６】
請求項１、６に記載の発明によれば、受信されたメールが予め登録された特定の属性を有していると、音声着信の報知形態で報知し、着信報知中にオフフック操作されると、受信されたメールの内容を音声合成して読み上げるので、あたかも通常の音声着信と同様に着信メールの内容を確認することができる。この結果、複雑な操作を苦手とするユーザ（お年寄りや子供）はもとより、とりわけ視覚障害のあるユーザでも簡単にメール内容を確認できるようになったり、会議や打ち合せの最中であっても、通常の音声着信を装うことで周囲に緊急性をアピールでき、メールチェックで周囲の顰蹙を買う虞を回避し得るようになる。
【００１７】
請求項２、７に記載の発明では、受信されたメールに音声着信の報知形態を装う旨を表す疑似着信属性が付与されていると、音声着信の報知形態で報知し、着信報知中にオフフック操作されると、受信されたメールの内容を音声合成して読み上げるので、あたかも通常の音声着信と同様に着信メールの内容を確認することができる。この結果、複雑な操作を苦手とするユーザ（お年寄りや子供）はもとより、とりわけ視覚障害のあるユーザでも簡単にメール内容を確認できるようになったり、会議や打ち合せの最中であっても、通常の音声着信を装うことで周囲に緊急性をアピールでき、メールチェックで周囲の顰蹙を買う虞を回避し得るようになる。
【００１８】
請求項３、８に記載の発明によれば、少なくともメールアドレスを有する読み上げ登録データを予め記憶しておき、受信メールの差出人アドレスが、当該読み上げ登録データのメールアドレスに一致すると、アドレス帳から当該受信メールの差出人アドレスに一致したメールアドレスに対応する電話番号を検索して表示すると共に、音声着信の報知形態で報知し、着信報知中にオフフック操作されると、受信されたメールの内容を音声合成して読み上げるので、あたかも通常の音声着信と同様に着信メールの内容を確認することができる。この結果、複雑な操作を苦手とするユーザ（お年寄りや子供）はもとより、とりわけ視覚障害のあるユーザでも簡単にメール内容を確認できるようになったり、会議や打ち合せの最中であっても、通常の音声着信を装うことで周囲に緊急性をアピールでき、メールチェックで周囲の顰蹙を買う虞を回避し得るようになる。
【００１９】
請求項４、９に記載の発明によれば、受信メールの差出人アドレスが、予めメールアドレスとキーワードとを対応付けて記憶させておいた読み上げ登録データのメールアドレスに一致し、かつ当該メールアドレスに対応したキーワードが受信メールに存在すると、アドレス帳から当該受信メールの差出人アドレスに一致したメールアドレスに対応する電話番号を検索して表示すると共に、音声着信の報知形態で報知し、着信報知中にオフフック操作されると、受信されたメールの内容を音声合成して読み上げるので、あたかも通常の音声着信と同様に着信メールの内容を確認することができる。この結果、複雑な操作を苦手とするユーザ（お年寄りや子供）はもとより、とりわけ視覚障害のあるユーザでも簡単にメール内容を確認できるようになったり、会議や打ち合せの最中であっても、通常の音声着信を装うことで周囲に緊急性をアピールでき、メールチェックで周囲の顰蹙を買う虞を回避し得るようになる。
【００２０】
請求項５、１０に記載の発明によれば、受信メールの差出人アドレスに一致したメールアドレスが携帯メールアドレスであると、対応する携帯電話番号をアドレス帳から検索して表示し、携帯メールアドレス以外の場合には対応する固定電話番号をアドレス帳から検索して表示するので、メール着信した時点で、通常の音声着信時と同様、誰から送られてきたメールであるかを知ることができる。
【発明を実施するための最良の形態】
【００２１】
以下、図面を参照して本発明の実施の一形態について説明する。
Ａ．構成  
図１は実施の一形態である携帯電話１の構成を示すブロック図である。携帯電話１は、例えば折畳み開閉タイプの本体構造を有し、その本体ケース（図示せず）には、送受信用のアンテナ２、音声発生用のスピーカ３、カラー液晶パネル等から構成される表示部４、キー入力部５、音声入力用のマイク６、着脱自在な記憶媒体でデータの読み出しおよび書き込みが可能なメモリカード７、画像を撮像するカメラ８、着信報知するスピーカ９および振動によって着信通知するバイブレータ１０が設けられている。
【００２２】
キー入力部５には、各種専用スイッチと各種機能が割り当てられる機能スイッチとが設けられる。代表的な専用スイッチとして、パワーオンオフする電源スイッチ、通話開始／回線断時に操作されるオフフック／オンフックスイッチ等が設けられている。無線送受信部１１は、アンテナ２を介して受信した高周波信号を増幅して次段の無線信号処理部１２に出力する一方、無線信号処理部１２から出力される送信信号を高周波増幅してアンテナ２から送出する。無線信号処理部１２は、無線送受信部１１によって増幅された高周波信号を復調する一方、制御部１３から供給される送信データを変調した送信信号を発生する。制御部１３は、システムバスを介してコマンドおよびデータの授受を行ってこの装置全体を制御する。本発明の要旨に係わる制御部１３の動作については追って詳述する。加入者情報記憶部１４は、着信日時や着信電話番号などを履歴として記録する着信履歴エリアおよび発信日時や発信電話番号などを履歴として記録する発信発信履歴エリアを備える。
【００２３】
システムＲＯＭ１５は、制御部１３によって実行されるプログラムの他、人声音データ、種々の初期データおよび各種画面データなどを記憶している。なお、制御部１３によって実行されるプログラムとは、後述するメインルーチンおよびメール着信処理を含む。また、システムＲＯＭ１５に格納される各種画面データとは、後述する待受画面や番号入力画面を形成するためのデータである。メモリ１６は、ワーク領域、メール領域およびデータ領域を備える。メモリ１６のワーク領域には制御部１３が実行する各種処理で使用するレジスタ・フラグデータが一時記憶される。また、ワーク領域には、画像バッファエリアが設けられており、カメラ８から供給される撮像データを一時記憶する。
【００２４】
メモリ１６のメール領域は、アドレス帳エリアＡＥ、読み上げ登録データエリアＹＥ、新規作成メールを保存する新規作成エリア、受信メールを保存する受信ＢＯＸおよび送信済みメールを保存する送信ＢＯＸを有する。アドレス帳エリアＡＥには、図２に図示するように、名前Ｄ１、電話番号Ｄ２、携帯番号Ｄ３およびメールアドレスＤ４から構成されるアドレス帳データＡＤが登録される。読み上げ登録データエリアＹＥには、図３に図示するように、メールアドレスＭＡＤおよびキーワードＫＷＤから構成される読み上げ登録データＹＴＤが登録される。読み上げ登録データＹＴＤは、メールが着信した際に疑似的に音声着信の報知形態を装うか否かを判定するために用いられるものであり、その詳細については後述のメール着信処理の動作説明で述べる。
【００２５】
音声信号処理部１７は、通話中の音声データを音声信号にＤ／Ａ変換してスピーカ３から発音させたり、マイク６から出力される音声信号を音声データにＡ／Ｄ変換して制御部１３に入力したりする。また、音声信号処理部１７は、制御部１３の指示に従い、システムＲＯＭ１５に格納される人声音データを用いて着信したメール内容を読み上げるように音声合成を行い、その出力をＤ／Ａ変換してスピーカ３から発音させる。ドライバ１８は、カメラ８が備えるＬＥＤ（発光素子）、着信通知用のスピーカ９およびバイブレータ１０を駆動する。ドライバ１９は、制御部１３からの指示に従い表示部４を表示駆動する。ドライバ２０は、制御部１３からの指示に従いメモリカード７に対してデータをリードライトする。メモリカード７は、画像バッファエリア（メモリ１６のワーク領域）から転送される撮像データを画像ファイルとして格納する撮像データエリアと、外部装置から入力した画像データや曲データを記憶するデータエリアとを備える。入出力インタフェース２１は、制御部１３の制御の下、ＵＳＢケーブルなどのシリアルインタフェースで接続される外部機器との間でデータ授受する。
【００２６】
Ｂ．動作
次に、上記構成による携帯電話１の動作として、制御部１３が実行するメインルーチンおよびメール着信処理の各動作について図４〜図５を参照して説明する。
（１）メインルーチンの動作  
電源スイッチ操作に応じて携帯電話１がパワーオンされると、制御部１３は図４に図示するメインルーチンを実行する。メインルーチンが実行されると、制御部１３は図４に示すステップＳＡ１に処理を進め、携帯電話１の各部を初期化するイニシャライズを行う。イニシャライズが完了すると、ステップＳＡ２に進み、システムＲＯＭ１５にファクトリープリセットされる待受画面データに基づき形成した待受画面を表示部４に表示する。次いで、ステップＳＡ３では、オフフックスイッチのオン操作の有無を判断する。待受画面表示状態でユーザが通話を開始すべくオフフックスイッチをオン操作すると、判断結果は「ＹＥＳ」になり、ステップＳＡ４に進む。
【００２７】
ステップＳＡ４では、表示部４に表示される画面を待受画面から番号入力画面に変更し、ダイヤルスイッチ操作に応じて入力された発信電話番号を番号入力画面に表示しつつレジスタセットする番号入力処理を実行する。次いで、ステップＳＡ５〜ＳＡ６では、上記番号入力処理にてレジスタセットされた発信電話番号に基づき発信および呼出報知を実行する。そして、呼出報知に応じて着呼側がオフフックして回線が接続されると、ステップＳＡ７の判断結果が「ＹＥＳ」になり、ステップＳＡ８に進み、通話処理を実行する。以後、オンフックスイッチがオン操作されるまでステップＳＡ８の通話処理を継続する。そして、通話を終えてユーザがオンフックスイッチをオン操作すると、ステップＳＡ９の判断結果が「ＹＥＳ」になり、ステップＳＡ１０に進み、回線を切る終話処理を実行した後、ステップＳＡ２に処理を戻して待受画面表示状態に復帰する。
【００２８】
なお、待受画面表示状態で機能選択スイッチをオン操作した場合には、上記ステップＳＡ３の判断結果が「ＮＯ」となり、ステップＳＡ１１に進み、機能選択スイッチの操作に応じて選択されるその他の処理（例えば、メール機能等）を実行する。そして、その他の処理が完了すると、上述したステップＳＡ２に処理を戻して待受画面表示状態に復帰する。
【００２９】
（２）メール着信処理の動作
次に、図５を参照してメール着信処理の動作を説明する。上述したメインルーチン実行中にメール着信があると、制御部１３は本処理を割込み実行し、図５に示すステップＳＢ１に処理を進める。ステップＳＢ１では、着信したメールをメモリ１６のメール領域に設けられる受信ＢＯＸにストアする。次いで、ステップＳＢ２では、受信ＢＯＸにストアした着信メールの差出人アドレスと一致するメールアドレスＭＡＤ（指定アドレス）が、メモリ１６の読み上げ登録データエリアＹＥ（図３参照）に登録されているか、つまり指定アドレスからのメールであるか否かを判断する。指定アドレスからのメールでなければ、判断結果は「ＮＯ」になり、ステップＳＢ３に進み、一定時間メール着信報知を行った後、本処理を完了させる、通常のメール着信動作を実行する。
【００３０】
一方、指定アドレスからのメールであると、上記ステップＳＢ２の判断結果が「ＹＥＳ」になり、ステップＳＢ４に進む。ステップＳＢ４では、受信ＢＯＸにストアした着信メールの件名および本文中に、指定アドレスに対応したキーワードＫＷＤ（指定キーワード：特定語句）が含まれるか否かを判断する。指定キーワードを含まないメールであれば、判断結果は「ＮＯ」となり、上記ステップＳＢ３を介して通常のメール着信動作を実行する。これに対し、着信したメールの件名および本文中に指定キーワードが含まれていると、判断結果は「ＹＥＳ」になり、ステップＳＢ５に進む。
【００３１】
ステップＳＢ５では、着信メールの差出人アドレスと一致するメールアドレスＤ４を有するアドレス帳データＡＤが、メモリ１６のアドレス帳エリアＡＥに登録されているか否かを検索する。次いで、ステップＳＢ６では、検索されたアドレス帳データＡＤにおけるメールアドレスＤ４のドメイン名に基づき「携帯メール」又は「インターネットメール」のいずれであるかを判別し、「携帯メール」の場合には対応する携帯番号（携帯電話番号）Ｄ３が、「インターネットメール」の場合には電話番号（固定電話番号）Ｄ２が登録されているか否かを判断する。
【００３２】
メールアドレスＤ４に対応した電話番号Ｄ２もしくは携帯番号Ｄ３が登録されている場合には、判断結果が「ＹＥＳ」となり、ステップＳＢ７に進み、該当する電話番号をアドレス帳エリアＡＥから抽出する。一方、メールアドレスＤ４に対応した電話番号が登録されていない場合、すなわち「携帯メール」であるのに携帯番号Ｄ３が登録されていなかったり、「インターネットメール」であるのに電話番号Ｄ２が登録されていない場合には、上記ステップＳＢ６の判断結果は「ＮＯ」になり、ステップＳＢ８に進み、メール種別に対応した電話番号を作成する。例えば「携帯メール」の場合には、そのドメインから判別される携帯キャリアを表す事業者コードから始る所定の電話番号を作成し、「インターネットメール」の場合には、「インターネットメール」である旨を表す特定の電話番号を作成する。
【００３３】
次いで、ステップＳＢ９では、上記ステップＳＢ７にて抽出された電話番号もしくは上記ステップＳＢ８にて作成された電話番号を表示部４に表示し、続くステップＳＢ１０では、オフフックスイッチがオン操作されるまで着信音を鳴動させる。そして、オフフックスイッチがオン操作されると、ステップＳＢ１１の判断結果が「ＹＥＳ」になり、ステップＳＢ１２に進み、受信ＢＯＸにストアされた着信メールの内容を音声合成して再生するよう音声信号処理部１７に指示する。これにより、着信メールの本文が人声音としてスピーカ３を介して読み上げられるようになる。読み上げが完了すると、ステップＳＢ１３の判断結果が「ＹＥＳ」になり、本処理を完了させて前述のメインルーチンに処理を戻す。
【００３４】
以上のように、本実施形態によれば、メールアドレスＭＡＤとキーワードＫＷＤとから構成される読み上げ登録データＹＴＤをメモリ１６の読み上げ登録データエリアＹＥに登録しておき、着信メールの差出人アドレスが読み上げ登録データＹＴＤのメールアドレスＭＡＤに一致し、かつメールアドレスＭＡＤに対応したキーワードＫＷＤがメールに含まれる場合、アドレス帳から差出人アドレスに対応する電話番号を検索して表示部４に表示しつつ着信報知し、オフフック操作に応じて着信メールの内容を音声合成して読み上げるようにしたので、予め指定した属性を有するメールが着信した場合に疑似的に音声着信の報知形態を装い、あたかも通常の音声着信と同様に着信メールの内容を確認することが可能になる。これにより、複雑な操作を苦手とするユーザ（お年寄りや子供）はもとより、とりわけ視覚障害のあるユーザでも簡単にメール内容を確認し得るようになる。また、会議や打ち合せの最中であっても、通常の音声着信を装うことで周囲に緊急性をアピールでき、メールチェックで周囲の顰蹙を買う虞を回避し得るようになっている。
【００３５】
なお、上述した実施形態において、読み上げる内容はメール本文に限らず、差出人の名前Ｄ１がアドレス帳データＡＤとして登録されている場合にはその名前Ｄ１を読み上げたり、メールの件名も読み上げる態様としても構わない。
また、本実施形態では、メールアドレスＭＡＤおよびキーワードＫＷＤから構成される読み上げ登録データＹＴＤを、メールが着信した際に疑似的に音声着信の報知形態を装うか否かを判定するための条件としたが、これに限らず、例えば、メール着信した時刻や日時を判定条件に設定する態様とすることも可能であるし、疑似的に音声着信の報知形態を装うか否かを表す属性を差出人側が送信メールに付与する態様にすることも可能である。
【００３６】
加えて、上述した実施形態では、メールアドレスＭＡＤおよびキーワードＫＷＤから構成される読み上げ登録データＹＴＤを用いるようにしたが、これに限らず、読み上げ登録データＹＴＤをメールアドレスＭＡＤだけで構成した態様も可能である。そうした場合、着信メールの差出人アドレスが読み上げ登録データＹＴＤのメールアドレスＭＡＤに一致すると、アドレス帳から差出人アドレスに対応する電話番号を検索して表示部４に表示しつつ着信報知し、オフフック操作に応じて着信メールの内容を音声合成して読み上げるようになる。
さらに、メールアドレスＭＡＤおよびキーワードＫＷＤから構成される読み上げ登録データＹＴＤにおいて、キーワードＫＷＤを登録せず、メールアドレスＭＡＤのみが登録されている場合には、その登録されたメールアドレスＭＡＤを、疑似的に音声着信の報知形態を装うか否かを判定するための条件に用いる態様としても構わない。
【図面の簡単な説明】
【００３７】
【図１】本発明の実施の一形態による携帯電話１の構成を示すブロック図である。
【図２】アドレス帳エリアＡＥに登録されるアドレス帳データＡＤの構成を示す図である。
【図３】読み上げ登録データエリアＹＥに登録される読み上げ登録データＹＴＤの構成を示す図である。
【図４】メインルーチンの動作を示すフローチャートである。
【図５】メール着信処理の動作を示すフローチャートである。
【符号の説明】
【００３８】
１  携帯電話
２  アンテナ
３  スピーカ
４  表示部
５  キー入力部
６  マイク
７  メモリカード
８  カメラ
９  スピーカ
１０  バイブレータ
１１  無線送受信部
１２  無線信号処理部
１３  制御部
１４  加入者情報記憶部
１５  システムＲＯＭ
１６  メモリ
１７  音声信号処理部
１８  ドライバ
１９  ドライバ
２０  ドライバ
２１  入出力インタフェース
【図１】
2005318467.tif 000003
【図２】
2005318467.tif 000004
【図３】
2005318467.tif 000005
【図４】
2005318467.tif 000006
【図５】
2005318467.tif 000007